(57)【要約】【課題】  使用時には物を置くスペースを拡張することができ、不使用時にも脱衣室側から物を出し入れすることができる浴室の間仕切り収納棚を提供する。【解決手段】  浴室３と脱衣室２との間を仕切る間仕切壁１内には収納スペース５が設けられ、この収納スペース５の開放された脱衣室２側には、起立状態で収納スペース５の下部のみをカバーする落下防止材６が設けられ、この落下防止材６は、軸１２を介し脱衣室２側へ略水平な突出状態となるように回動可能に構成されており、起立状態において、脱衣室側へ何ら突出せず、突出状態において、収納スペース５の底面５ｂと面一となるように構成されている。【選択図】        図４
2006022474.tif 000002
【特許請求の範囲】
【請求項１】
浴室と脱衣室との間の間仕切壁内には収納スペースが設けられ、該収納スペースの開放された脱衣室側には、起立状態で該収納スペースの下部のみをカバーする落下防止材が設けられ、該落下防止材は、軸を介し前記脱衣室側へ略水平な突出状態となるように回動可能に構成されていることを特徴とする浴室の間仕切り収納棚。
【請求項２】
前記落下防止材は、前記起立状態において前記脱衣室側へ何ら突出せず、前記突出状態において収納スペースの底面と面一となるように構成されていることを特徴とする請求項１に記載の浴室の間仕切り収納棚。
【請求項３】
前記収納スペースの浴室側は開口され、該開口には開閉可能に蓋部材が設けられていることを特徴とする請求項１または請求項２に記載の浴室の間仕切り収納棚。
【発明の詳細な説明】
【技術分野】
【０００１】
この発明は、浴室と脱衣室とを仕切る間仕切り収納棚に関するものである。
【背景技術】
【０００２】
従来、特許文献１に開示されているように、浴室と脱衣室間を仕切る間仕切壁に、浴室から脱衣室に貫通する開口を設け、この開口内を収納部として、開口の浴室側及び脱衣室側にそれぞれ開閉可能に扉を設けた構成が存在する。
また、特許文献２に開示されているように、浴室と脱衣室を仕切る収納棚本体に回転式載置台を設け、この回転式載置台を、使用時には脱衣室側へ略水平状となり、不使用時には垂直状態で保持されるように構成したものが存在する。
【特許文献１】特開平９−７２１１８号公報
【特許文献２】特開２００３−２１０２５６公報
【発明の開示】
【発明が解決しようとする課題】
【０００３】
従来の特許文献１に開示されている構成では、間仕切壁内に形成されている収納部の奥行き幅が狭く、収納部内に物を置く十分なスペースが取れないという問題点があり、また、脱衣室側に洗面器台が設置されるような場合には、扉が邪魔になるという問題点があった。
また、前記特許文献２に開示されている構成では、回転式載置台を垂直状態に保持させた状態では、脱衣室側から収納棚内に物を入れることができず、使用勝手が悪いという問題点があった。
【課題を解決するための手段】
【０００４】
本発明は上記従来の問題点に鑑み案出したものであって、物を置く十分広いスペースを確保することができ、また、不使用時においても脱衣室側から物を良好に出し入れできる浴室の間仕切り収納棚を提供せんとするものであり、その請求項１は、浴室と脱衣室との間の間仕切壁内には収納スペースが設けられ、該収納スペースの開放された脱衣室側には、起立状態で該収納スペースの下部のみをカバーする落下防止材が設けられ、該落下防止材は、軸を介し前記脱衣室側へ略水平な突出状態となるように回動可能に構成されていることである。
また、請求項２は、前記落下防止材は、前記起立状態において前記脱衣室側へ何ら突出せず、前記突出状態において収納スペースの底面と面一となるように構成されていることである。
また、請求項３は、前記収納スペースの浴室側は開口され、該開口には開閉可能に蓋部材が設けられていることである。
【発明の効果】
【０００５】
本発明の浴室の間仕切り収納棚は、起立状態で収納スペースの下部のみをカバーする落下防止材が設けられ、落下防止材は、軸を介し脱衣室側へ略水平な突出状態となるように回動可能に構成されていることにより、落下防止材を起立状態にして収納スペース内に収納されている物の脱衣室側への落下を良好に防ぐことができ、また、落下防止材の起立状態で良好に脱衣室側から収納スペース内の物を出し入れすることができ、また、落下防止材を軸を介し脱衣室側へ略水平な突出状態とすることにより、バスタオルや着替えなどの大きな物を良好に置くことができるものとなる。
【０００６】
また、落下防止材は、起立状態において脱衣室側へ何ら突出せず、突出状態において収納スペースの底面と面一となるように構成されていることにより、落下防止材を起立状態に保持させておけば、間仕切壁に近接して脱衣室側に洗面化粧台などを設置する場合にも邪魔になることがなく、また、脱衣室側へ落下防止材を水平に突出状態として用いる場合には、収納スペースの底面と落下防止材が面一となり、広いスペースを確保することができて大きな物を置くことができ、また、面一であるためボトル等を置いても倒れにくいものとなり、より多くの物を置くことができ、使い勝手が良好なものとなる。
【０００７】
また、収納スペースの浴室側は開口され、開口には開閉可能に蓋部材が設けられていることにより、落下防止材を水平状態に突出させた状態で、落下防止材上にバスタオルや着替えなどを置いておくことができ、蓋部材を閉めておけば、湿気でそれらを濡らしてしまうこともなく、浴室内で入浴後に蓋部材を開けて、バスタオルや着替えなどを浴室内に取り込み、浴室内で着替え等を行うことができるものとなり、冬季等において、暖かい浴室内から寒い脱衣室側へ出る際に寒さを感じることがなく、良好な使い勝手が得られるものとなる。
【実施例】
【０００８】
以下、本発明の実施例を図面に基づいて説明する。
図１は、脱衣室２と浴室３を仕切る間仕切壁１の縦断面構成図であり、この図１は、脱衣室側から見た図２の正面構成図におけるＡ−Ａ線断面を示すものである。また図３は、間仕切壁１を浴室内側から見た正面構成図である。
【０００９】
間仕切壁１は脱衣室２と浴室３を仕切り、側方には浴室３内への出入りができるドア８が設置されている。
間仕切壁１を構成する脱衣室側壁１ａと浴室側壁１ｂ間は、例えば１３５mm程度の幅に設定されており、上方には間隔をおいて複数段に棚４，４，４が設けられており、棚４，４間に、それぞれ収納スペース５，５，５が形成されている。この各収納スペース５，５，５の浴室３側には、閉塞パネル９が設けられて浴室３側は閉じられており、脱衣室２側は開放されたものとなっている。
【００１０】
また、最下段の収納スペース５には、その脱衣室２側に、起立状態から脱衣室側へ略水平に突出状態となるように回動可能に落下防止材６が設けられており、この落下防止材６を脱衣室２側へ略水平に突出させた状態では、脱衣室側壁１ａからの突出寸法が１３５mm程度となるように設定されている。
また、最下段の収納スペース５の浴室３側は、貫通された開口５ａとなっており、この開口５ａには、浴室３側から開閉できる蓋部材７が設けられている。
【００１１】
図４には、最下段の収納スペース５の部分を拡大して示しており、図４において、落下防止材６及び蓋部材７を詳細に説明する。
落下防止材６は、最下段の収納スペース５の底面５ｂを形成する棚４の脱衣室２側に、軸１２を介して起立状態から脱衣室２側へ略水平に突出する突出状態に亘り回動できるように構成されており、板状または金網状等の面材６ａの上端には、コの字状に引っ掛け片６ｂが形成されて、この引っ掛け片６ｂを係止ダボ１１に引っ掛けて、起立状態に保持できるように構成されており、面材６ａの下端には長孔６ｃが形成されて、この長孔６ｃを介し面材６ａを上下動させて、良好に引っ掛け片６ｂを係止ダボ１１に掛けることができるように構成されている。
【００１２】
この起立状態では、収納スペース５の脱衣室２側下部のみが面材６ａでカバーされるものであり、収納スペース５の上部は開放状態となっており、脱衣室２側から良好に収納スペース５内に物を出し入れすることができ、収納スペース５の底面５ｂ上に物を置いて、この物の脱衣室２側への落下を良好に落下防止材６で防止できるものである。
また必要に応じ、引っ掛け片６ｂを係止ダボ１１から外して、落下防止材６を脱衣室２側へ略水平状に突出させて使用することもでき、この突出状態では、面材６ａが収納スペース５の底面５ｂと面一状となるように設定されている。
【００１３】
即ち、底面５ｂを形成する棚４の脱衣室２側には、段部４ａが形成されており、この段部４ａに軸１２が配置されて、水平に落下防止材６が突出された時に、面材６ａの上面と収納スペース５の底面５ｂが面一となるように設定されている。
なお、面材６ａはステー１０で支持されており、起立状態及び突出状態の何れの状態をも良好にステー１０で保持できるように構成されている。
【００１４】
なお、落下防止材６は、起立状態では、脱衣室側壁１ａとほぼ面一状態となり、脱衣室２側へは何ら突出することがないため、脱衣室２側に洗面器台等を設置する場合にも、落下防止材６が邪魔になることなく、洗面器台を脱衣室側壁１ａにほぼ当接状態として設置することができるものである。
【００１５】
なお、落下防止材６を脱衣室２側へほぼ水平に突出させた状態では、前述した如く、面材６ａの上面と収納スペース５の底面５ｂが面一状となるため、ボトル等を置いた場合にも倒れにくいものとなり、しかも、広い面積が確保されて、タオルとか着替え等の大きな物も良好に置くことができるものとなり、置ける物の種類が限定されずに使い勝手が良好なものとなる。
【００１６】
次に、浴室３側に設けられた蓋部材７は、収納スペース５の開口５ａの下部に起立状に固定された固定パネル７ａと、開閉可能な閉止板７ｂで構成されており、固定パネル７ａの上端及び下端にはそれぞれ軸１３ａ，１３ｂが設けられ、各軸１３ａ，１３ｂにはそれぞれ上アーム１４ａ，下アーム１４ｂが連結されて、上アーム１４ａの先端に軸を介し閉止板７ｂの上端が連結され、また、下アーム１４ｂの先端に閉止板７ｂの下端が軸を介し連結されている。
なお、閉止板７ｂの上端には、浴室３側へクの字状に突出して操作用のハンドル７ｃが設けられている。
【００１７】
この蓋部材７は、図４に示すように、ハンドル７ｃを浴室３側へ引くことで、上アーム１４ａ，下アーム１４ｂを浴室３側へ回動させて、閉止板７ｂを固定パネル７ａに対し開けて開口５ａを開けることができるように構成されており、開けた状態で、棚４の浴室３側に形成されている傾斜面４ｂに沿って下アーム１４ｂが当接保持されて、所定の角度以上に下側へ移動しないように構成されている。
また、閉止板７ｂを閉じる際には、上アーム１４ａ，下アーム１４ｂを上方へ回転させてゆき、閉止板７ｂを固定パネル７ａの上方へほぼ面一状に立設固定させて、開口５ａを閉止することができるものである。
【００１８】
浴室３内で入浴する際等には、この蓋部材７は開口５ａを閉止した状態に保持されて、収納スペース５内に浴室３側からの湿気が入らないようにしておくことができ、例えば、落下防止材６を脱衣室２側へ水平に突出させ、この上にタオルや着替えを置いておき、浴室３で入浴後に脱衣室２側へ出る前に蓋部材７を開けて、開口５ａから落下防止材６上に置かれているタオルや着替えを浴室３内に取り込んで、浴室３内でタオルで身体を拭き、またガウン等を着て脱衣室２側へ出ることができ、冬季等において、脱衣室２が寒い状態となっている場合でも、寒さを感じることなく良好に浴室３から脱衣室２へ出ることができるものとなる。
【図面の簡単な説明】
【００１９】
【図１】間仕切壁の縦断面構成図である。
【図２】間仕切壁を脱衣室側から見た正面構成図である。
【図３】間仕切壁を浴室の室内側から見た正面構成図である。
【図４】間仕切壁の最下段の収納スペース周辺の要部拡大断面構成図である。
【符号の説明】
【００２０】
１  間仕切壁
１ａ  脱衣室側壁
１ｂ  浴室側壁
２  脱衣室
３  浴室
４  棚
４ａ  段部
４ｂ  傾斜面
５  収納スペース
５ａ  開口
５ｂ  底面
６  落下防止材
６ａ  面材
６ｂ  引っ掛け片
６ｃ  長孔
７  蓋部材
７ａ  固定パネル
７ｂ  閉止板
７ｃ  ハンドル
８  ドア
９  閉塞パネル
１０  ステー
１１  係止ダボ
１２  軸
１３ａ，１３ｂ  軸
１４ａ  上アーム
１４ｂ  下アーム
【図１】
2006022474.tif 000003
【図２】
2006022474.tif 000004
【図３】
2006022474.tif 000005
【図４】
2006022474.tif 000006